(57)【要約】【課題】住人、来訪者双方の手間を減らしながらも、集合住宅のセキュリティレベルの低下を防止することができる集合住宅用ネットワークシステムを提供する。【解決手段】通信機器５ａは、センターサーバ１に暗証番号作成情報および携帯電話６のアドレス情報を送信し、センターサーバ１は、暗証番号を作成するとともに、来訪者識別情報を作成し、暗証番号と来訪者識別情報とを対応付けて記憶するとともに、来訪者識別情報を携帯電話６へ送信し、ロビー端末７は、来訪者識別情報および暗証番号が入力されると、センターサーバ１に来訪者識別情報および暗証番号を送信し、センターサーバ１は、受信した来訪者識別情報および暗証番号と記憶している来訪者識別情報および暗証番号とを比較し、それらが一致した場合には、オートロックドア８のロックを解錠する。【選択図】図１
2009052279.tif 000002
【特許請求の範囲】
【請求項１】
センターサーバと、当該センターサーバにネットワークを介して接続され、集合住宅の各住戸に設けられて各住戸の住人により操作される住戸端末装置と、来訪者が保有する携帯端末装置と、集合住宅の共用玄関に設けられるロビー端末およびオートロックドアと、
を備え、
住戸端末装置は、センターサーバに来訪者がオートロックドアのロックを解錠する際に必要となる暗証番号をセンターサーバが作成するための暗証番号作成情報および携帯端末装置のアドレス情報を送信し、
センターサーバは、暗証番号作成情報にもとづいて暗証番号を作成するとともに、来訪者がオートロックドアのロックを解錠する際に必要となる来訪者識別情報を作成し、暗証番号と来訪者識別情報とを対応付けて記憶するとともに、アドレス情報にもとづいて来訪者識別情報を携帯端末装置へ送信し、
ロビー端末は、来訪者識別情報および暗証番号が入力されると、センターサーバに来訪者識別情報および暗証番号を送信し、
センターサーバは、受信した来訪者識別情報および暗証番号と記憶している来訪者識別情報および暗証番号とを比較し、それらが一致した場合には、オートロックドアのロックを解錠することを特徴とする集合住宅用ネットワークシステム。
【請求項２】
センターサーバには、住戸を特定するための住戸識別情報と住戸番号とがあらかじめ対応付けられて登録されており、
暗証番号作成情報は、住戸識別情報であり、
センターサーバは、住戸識別情報に対応する住戸番号を暗証番号とし、暗証番号と来訪者識別情報とを対応付けて記憶することを特徴とする請求項１に記載の集合住宅用ネットワークシステム。
【請求項３】
住戸端末装置は、センターサーバにさらに来訪者識別情報の利用規定が設定された有効情報を送信し、
センターサーバは、暗証番号と来訪者識別情報と有効情報とを対応付けて記憶し、ロビー端末から来訪者識別情報および暗証番号を受信した際に、受信した来訪者識別情報および暗証番号と記憶している来訪者識別情報および暗証番号とを比較し、それらが一致した場合、かつ記憶している有効情報を参照した結果、来訪者識別情報がその利用規定の範囲内である場合、に、オートロックドアのロックを解錠することを特徴とする請求項１または２に記載の集合住宅用ネットワークシステム。
【請求項４】
有効情報は、来訪者識別情報を利用することができる有効期間を規定する情報を含み、
センターサーバは、来訪者識別情報を受信した時が来訪者識別情報の有効期間内であるかどうかを判断するタイマ部を備えることを特徴とする請求項３に記載の集合住宅用ネットワークシステム。
【請求項５】
有効情報は、来訪者識別情報の最大利用回数を一回に規定する情報を含み、
センターサーバは、受信した来訪者識別情報および暗証番号と記憶している来訪者識別情報および暗証番号とを比較し、それらが一致した場合には、その来訪者識別情報をその後使用できなくすることを特徴とする請求項３または４に記載の集合住宅用ネットワークシステム。
【請求項６】
センターサーバは、乱数を用いて来訪者識別情報を作成することを特徴とする請求項１〜５のいずれか１項に記載の集合住宅用ネットワークシステム。
【請求項７】
ロビー端末は、カメラを備え、
来訪者識別情報が画像で構成されるとともに、当該画像が携帯端末装置に表示され、カメラで撮影されることにより、ロビー端末に読み取られることを特徴とする請求項１〜５のいずれか１項に記載の集合住宅用ネットワークシステム。
【発明の詳細な説明】
【技術分野】
【０００１】
本発明は、センターサーバによる集合住宅の入退場管理システムに関する。
【背景技術】
【０００２】
集合住宅の共用玄関には、ロビー端末およびオートロックドアがあり、これらは、ネットワークを介して、センターサーバと接続され、センターサーバにより管理されている。
【０００３】
ここで、集合住宅の住戸に住む住人に来訪者がある場合、来訪者は、ロビー端末より住戸番号を入力して住人に来訪を通知し、住人によりオートロックを解錠してもらって、集合住宅内に入ることができる。
【０００４】
しかし、上述したシステムでは、住人にとっては、あらかじめ来訪することがわかっている来訪者に対して、オートロックドアのロックの解錠と住戸の鍵の解錠という二つの作業をする必要があるので煩わしく、来訪者にとっては、共用玄関と住戸の前という二箇所で住人を呼び出すことが煩わしいとともに、住人を呼び出すまでの待ち時間も煩わしい。
【０００５】
ここで、例えば、特許文献１には、マンションの住人に来訪の予約をした際に、来訪先の住人からＩＤ情報を取得して携帯電話に保存しておき、来訪時に、当該ＩＤ情報をマンションの共用玄関に設置されたコードリーダーで読み取らせ、センターサーバがあらかじめ記憶しているＩＤ情報と比較照合し、合致した場合に、マンションの出入り口を解錠するシステムが記載されている。
【特許文献１】特開２００４−３６０２００号公報
【発明の開示】
【発明が解決しようとする課題】
【０００６】
ところで、上記特許文献１に記載のシステムを採用すると、住人が行わなければならなかった来訪者に対する二回の応答および来訪者が行わなければならなかった住人に対する二回の呼び出しをそれぞれ一回に減らすことができ、住人、来訪者双方の手間を減らすことができるものの、来訪者は、ＩＤ情報さえ持っていれば、マンションの出入り口を通過することができるので、ＩＤ情報の盗難など住人にとって不測の事態が発生した場合を考慮すると、マンションのセキュリティレベルが低下してしまうという課題がある。
【０００７】
本発明は、上記課題に鑑みてなされたものであり、住人、来訪者双方の手間を減らしながらも、集合住宅のセキュリティレベルの低下を防止することができる集合住宅用ネットワークシステムを提供することを目的とする。
【課題を解決するための手段】
【０００８】
上記課題を解決するために、請求項１に記載の集合住宅用ネットワークシステムは、センターサーバと、当該センターサーバにネットワークを介して接続され、集合住宅の各住戸に設けられて各住戸の住人により操作される住戸端末装置と、来訪者が保有する携帯端末装置と、集合住宅の共用玄関に設けられるロビー端末およびオートロックドアと、を備え、住戸端末装置は、センターサーバに来訪者がオートロックドアのロックを解錠する際に必要となる暗証番号をセンターサーバが作成するための暗証番号作成情報および携帯端末装置のアドレス情報を送信し、センターサーバは、暗証番号作成情報にもとづいて暗証番号を作成するとともに、来訪者がオートロックドアのロックを解錠する際に必要となる来訪者識別情報を作成し、暗証番号と来訪者識別情報とを対応付けて記憶するとともに、アドレス情報にもとづいて来訪者識別情報を携帯端末装置へ送信し、ロビー端末は、来訪者識別情報および暗証番号が入力されると、センターサーバに来訪者識別情報および暗証番号を送信し、センターサーバは、受信した来訪者識別情報および暗証番号と記憶している来訪者識別情報および暗証番号とを比較し、それらが一致した場合には、オートロックドアのロックを解錠することを特徴とする。
【０００９】
請求項２に記載の発明は、上記請求項１に記載の集合住宅用ネットワークシステムにおいて、センターサーバには、住戸を特定するための住戸識別情報と住戸番号とがあらかじめ対応付けられて登録されており、暗証番号作成情報は、住戸識別情報であり、センターサーバは、住戸識別情報に対応する住戸番号を暗証番号とし、暗証番号と来訪者識別情報とを対応付けて記憶することを特徴とする。
【００１０】
請求項３に記載の発明は、上記請求項１または２に記載の集合住宅用ネットワークシステムにおいて、住戸端末装置は、センターサーバにさらに来訪者識別情報の利用規定が設定された有効情報を送信し、センターサーバは、暗証番号と来訪者識別情報と有効情報とを対応付けて記憶し、ロビー端末から来訪者識別情報および暗証番号を受信した際に、受信した来訪者識別情報および暗証番号と記憶している来訪者識別情報および暗証番号とを比較し、それらが一致した場合、かつ記憶している有効情報を参照した結果、来訪者識別情報がその利用規定の範囲内である場合、に、オートロックドアのロックを解錠することを特徴とする。
【００１１】
請求項４に記載の発明は、上記請求項３に記載の集合住宅用ネットワークシステムにおいて、有効情報は、来訪者識別情報を利用することができる有効期間を規定する情報を含み、センターサーバは、来訪者識別情報を受信した時が来訪者識別情報の有効期間内であるかどうかを判断するタイマ部を備えることを特徴とする。
【００１２】
請求項５に記載の発明は、上記請求項３または４に記載の集合住宅用ネットワークシステムにおいて、有効情報は、来訪者識別情報の最大利用回数を一回に規定する情報を含み、センターサーバは、受信した来訪者識別情報および暗証番号と記憶している来訪者識別情報および暗証番号とを比較し、それらが一致した場合には、その来訪者識別情報をその後使用できなくすることを特徴とする。
【００１３】
請求項６に記載の発明は、上記請求項１〜５のいずれか１項に記載の集合住宅用ネットワークシステムにおいて、センターサーバは、乱数を用いて来訪者識別情報を作成することを特徴とする。
【００１４】
請求項７に記載の発明は、上記請求項１〜５のいずれか１項に記載の集合住宅用ネットワークシステムにおいて、ロビー端末は、カメラを備え、来訪者識別情報が画像で構成されるとともに、当該画像が携帯端末装置に表示され、カメラで撮影されることにより、ロビー端末に読み取られることを特徴とする。
【発明の効果】
【００１５】
請求項１に記載の発明によれば、住人が行わなければならなかった来訪者に対する二回の応答および来訪者が行わなければならなかった住人に対する二回の呼び出しをそれぞれ一回に減らすことができ、住人、来訪者双方の手間を減らしながらも、来訪者に暗証番号を入力させることにより、来訪者識別情報の盗難など住人にとって不測の事態が発生した場合にも、正当な来訪者以外は、暗証番号がわからず、集合住宅の共用玄関に設けられているオートロックドアのロックを解錠することができないので、集合住宅のセキュリティレベルの低下を防止することができる。また、暗証番号は、センターサーバで自動的に作成されるので、暗証番号を指定する手間を省くことができる。
【００１６】
請求項２に記載の発明によれば、住戸番号を暗証番号とするので、正当な来訪者にとって、暗証番号をわかりやすいものとすることができる。
【００１７】
請求項３に記載の発明によれば、来訪者にオートロックドアのロックを解錠させる際の制限を設けることができるので、集合住宅のセキュリティレベルが向上する。
【００１８】
請求項４に記載の発明によれば、住人の想定外の期間に来訪者識別情報が利用されなくなるので、集合住宅のセキュリティレベルが向上する。
【００１９】
請求項５に記載の発明によれば、来訪者識別情報の使いまわしを避けることができるので、不正に来訪者識別情報が利用される危険性が低減し、集合住宅のセキュリティレベルが向上する。
【００２０】
請求項６に記載の発明によれば、来訪者識別情報を推測不可能なものにすることができるので、正当な来訪者になりかわって正当な来訪者以外の人間が集合住宅に侵入する危険性が低減し、集合住宅のセキュリティレベルが向上する。
【００２１】
請求項７に記載の発明によれば、来訪者による来訪者識別情報の入力を簡便化することができるので、誤入力を心配することなく来訪者識別情報の情報量を増やすことができ、集合住宅のセキュリティレベルが向上する。
【発明を実施するための最良の形態】
【００２２】
以下、図面を参照しながら本発明の実施形態について説明する。以下の説明では具体例を挙げて本発明を説明する場合があるが、本発明は以下の具体例に限定されない。
【００２３】
図１に、実施形態に係る集合住宅用ネットワークシステムを示す。
【００２４】
集合住宅用ネットワークシステムは、センターサーバ１と、センターサーバ１にそれぞれネットワークを介して接続され、集合住宅２の各住戸３ａ、３ｂに設けられる住戸端末装置としてのインターフォン４ａ、４ｂおよび各住戸３ａ、３ｂの住人により操作される通信機器５ａ、５ｂと、来訪者が保有する携帯端末装置としての携帯電話６と、集合住宅２の共用玄関に設けられたカメラ付きのロビー端末７およびオートロックドア８と、を基本構成とする。
【００２５】
ここで、集合住宅２には、集合住宅２の各機器を集中監視する中央監視盤９が設けられており、インターフォン４ａ、４ｂと通信機器５ａ、５ｂとロビー端末７とオートロックドア８とは、中央監視盤９に接続され、中央監視盤９経由でネットワークを介してセンターサーバ１に接続されている。
【００２６】
また、各インターフォン４ａ、４ｂに各通信機器５ａ、５ｂの機能を持たせることもでき、このようにすれば、別途、通信機器５ａ、５ｂを用意する必要がなくなるので好ましい。ただし、実施形態では、便宜上、各インターフォン４ａ、４ｂと各通信機器５ａ、５ｂとが別機器であり、各通信機器５ａ、５ｂをそれぞれ住戸３ａ、３ｂの住人が所有しているものとする。
【００２７】
そして、実施形態に係る集合住宅用ネットワークシステムでは、まず、通信機器５ａ、５ｂは、センターサーバ１に来訪者がオートロックドア８のロックを解錠する際に必要となる暗証番号をセンターサーバ１が作成するための暗証番号作成情報および携帯電話６のアドレス情報を送信する。
【００２８】
センターサーバ１は、通信機器５ａ、５ｂから暗証番号作成情報および携帯電話６のアドレス情報を受信すると、暗証番号作成情報にもとづいて暗証番号を作成するとともに、来訪者がオートロックドア８のロックを解錠する際に必要となる来訪者識別情報を作成し、暗証番号と来訪者識別情報とを対応付けて記憶するとともに、アドレス情報にもとづいて来訪者識別情報を携帯電話６へ送信する。また、暗証番号は、来訪者に別途伝えられる。
【００２９】
その後、ロビー端末７は、来訪者識別情報および暗証番号が入力されると、センターサーバ１に来訪者識別情報および暗証番号を送信する。
【００３０】
センターサーバ１は、ロビー端末７から来訪者識別情報および暗証番号を受信すると、受信した来訪者識別情報および暗証番号と記憶している来訪者識別情報および暗証番号とを比較し、それらが一致した場合には、オートロックドア８のロックを解錠する。
【００３１】
ところで、センターサーバ１には、住戸３ａ、３ｂを特定するための住戸識別情報と住戸番号とがあらかじめ対応付けられて登録されている。ここで、暗証番号作成情報は、住戸識別情報であり、センターサーバ１は、住戸識別情報に対応する住戸番号を暗証番号とし、暗証番号と来訪者識別情報とを対応付けて記憶する。
【００３２】
また、通信機器５ａ、５ｂは、センターサーバ１にさらに来訪者識別情報の利用規定が設定された有効情報を送信する。センターサーバ１は、通信機器５ａ、５ｂから有効情報を受信すると、暗証番号と来訪者識別情報と有効情報とを対応付けて記憶する。そして、ロビー端末７から来訪者識別情報および暗証番号を受信した際に、受信した来訪者識別情報および暗証番号と記憶している来訪者識別情報および暗証番号とを比較し、それらが一致した場合、かつ記憶している有効情報を参照した結果、来訪者識別情報がその利用規定の範囲内である場合、に、オートロックドア８のロックを解錠する。
【００３３】
ここで、住戸３ａ、３ｂは、集合住宅２を構成し、３〜４桁の数字列で表される住戸番号とそれぞれ自身を特定するための住戸識別情報とを有する。住戸識別情報は、住戸３ａ、３ｂの住人のＩＤ情報やインターフォン４ａ、４ｂの機器情報で表され、数字以外に文字を含んでもよい。
【００３４】
また、インターフォン４ａ、４ｂは、マイクおよびスピーカーを備え、住戸３ａ、３ｂの住人は、ロビー端末７および住戸３ａ、３ｂに来た来訪者と通話をする。また、インターフォン４ａ、４ｂは、住戸３ａ、３ｂの住人が通話の前に来訪者を確認するために、ロビー端末７のカメラにより撮影された映像を映す液晶画面を備えている。
【００３５】
そして、通信機器５ａ、５ｂは、液晶画面を備え、例えば、パソコンや携帯電話のＷｅｂブラウザが利用できる機器であり、それぞれ住戸３ａ、３ｂの住人によって操作される。そして、通信機器５ａ、５ｂには、住戸３ａ、３ｂの住戸識別情報があらかじめ登録されている。
【００３６】
住戸３ａ、３ｂの住人は、来訪者が保有する携帯電話６のアドレス情報、例えば、電話番号やメールアドレスと有効情報とを通信機器５ａ、５ｂに入力し、通信機器５ａ、５ｂは、これらの情報をセンターサーバ１に送信する。この際、通信機器５ａ、５ｂにあらかじめ登録されている住戸識別情報も自動的にセンターサーバ１に送信される。
【００３７】
有効情報は、来訪者識別情報の利用規定が設定された情報であり、来訪者識別情報の最大使用回数を規定する情報や、来訪者識別情報の有効期間を規定する情報を含む。
【００３８】
また、住戸３ａ、３ｂの住人は、通信機器５ａ、５ｂにより、適宜来訪者識別情報を使用できなくしたり、来訪者識別情報の発行状況や使用状況を確認したりすることができる。さらに、住戸３ａ、３ｂの住人は、通信機器５ａ、５ｂにより、必要に応じ、有効情報の内容を変更することもできる。
【００３９】
なお、通信機器５ａ、５ｂの液晶画面に、ロビー端末７のカメラにより撮影された映像を映してもよい。
【００４０】
また、住戸３ａ、３ｂの住人は、通信機器５ａ、５ｂより、住宅機器、例えば、照明やエアコンの状態確認や制御を行うこともできる。
【００４１】
そして、センターサーバ１は、ネットワークを介して接続された機器を管理するものであり、あらかじめ、住戸識別情報と住戸番号とが対応付けられて登録されている。センターサーバ１は、通信機器５ａ、５ｂから携帯電話６のアドレス情報と有効情報と暗証番号作成情報として住戸識別情報とを受信すると、まず、住戸識別情報と対応付けられて登録されている住戸番号を暗証番号とする。
【００４２】
それとともに、センターサーバ１は、来訪者識別情報を作成する。
【００４３】
また、センターサーバ１は、暗証番号と来訪者識別情報と有効情報とを対応付けて記憶部１０に記憶するとともに、携帯電話６のアドレス情報にもとづいて、携帯電話６に来訪者識別情報を送信する。
【００４４】
その後、センターサーバ１は、来訪者によりロビー端末７に入力された来訪者識別情報および暗証番号と記憶している来訪者識別情報および暗証番号とを比較し、それらが一致した場合、かつ記憶している有効情報を参照した結果、来訪者識別情報が有効である場合、に、オートロックドア８のロックを解錠する。
【００４５】
ここで、暗証番号は、来訪者がオートロックドア８のロックを解錠する際に必要となるものであり、実施形態では、住戸番号を用いる。住戸番号を暗証番号とする場合には、暗証番号は、上述したセンターサーバ１の処理により、住戸番号として自動的に決まることとなる。
【００４６】
なお、通信機器５ａ、５ｂは、来訪者が保有する携帯電話６のアドレス情報と有効情報とを住戸３ａ、３ｂの住人の操作によりセンターサーバ１に送信する際に、住戸３ａ、３ｂの住戸番号を自動的にセンターサーバ１に送信するようにし、センターサーバ１は、通信機器５ａ、５ｂから受信した住戸３ａ、３ｂの住戸番号をそのまま暗証番号としてもよい。
【００４７】
また、暗証番号は、任意の文字列で構成することもできる。この場合、住戸３ａ、３ｂの住人は、通信機器５ａ、５ｂに任意の文字列で構成された暗証番号を入力し、通信機器５ａ、５ｂは、センターサーバ１にこの暗証番号を送信し、センターサーバ１は、通信機器５ａ、５ｂから暗証番号と携帯電話６のアドレス情報と有効情報とを受信すると、来訪者識別情報を作成し、暗証番号と来訪者識別情報と有効情報とを対応付けて記憶部１０に記憶するとともに、携帯電話６のアドレス情報にもとづいて、携帯電話６に来訪者識別情報を送信する。また、センターサーバ１は、来訪者によりロビー端末７に入力された来訪者識別情報および暗証番号と記憶している来訪者識別情報および暗証番号とを比較し、それらが一致した場合、かつ記憶している有効情報を参照した結果、来訪者識別情報が有効である場合、に、オートロックドア８のロックを解錠する。ここで、暗証番号を住戸番号とすることもできるが、暗証番号には、第三者が推測できない数字列を選択することが好ましい。
【００４８】
そして、暗証番号は、来訪者識別情報が盗難などをされた場合にも、第三者に知られてはならないため、来訪者識別情報が表示される携帯電話６には送信されずに、別途来訪者に伝えられる。
【００４９】
また、来訪者識別情報は、来訪者を識別するための情報であり、具体的には、来訪者ごとに指定された数字列で構成されている。ここで、センターサーバ１は、乱数発生部１１で、乱数を用いて、来訪者が保有する携帯電話６のアドレス情報、来訪者の来訪日時、来訪する住戸番号などから第三者が推測できない来訪者識別情報を作成することが好ましい。
【００５０】
そして、センターサーバ１は、有効情報が来訪者識別情報を利用することができる有効期間を規定する情報を含む場合には、タイマ部１２で、現在の日時が来訪者識別情報の有効期間内であるかどうかを判断する。また、センターサーバ１は、有効情報が来訪者識別情報の最大使用回数を規定する情報を含む場合には、来訪者識別情報の残りの使用回数を、暗証番号および来訪者識別情報に対応付けて記憶部１０に記憶する。この場合、センターサーバ１に、最初に有効情報が記憶されるときには、来訪者識別情報の最大使用回数と残りの使用回数は一致し、来訪者識別情報が正当に使用されれば、残りの使用回数は、一回少なくなって記憶される。ここで、有効情報が来訪者識別情報の最大利用回数を一回に規定する情報を含む場合には、センターサーバ１は、来訪者が持つ来訪者識別情報と記憶している来訪者識別情報とを比較し、それらが一致した場合には、その来訪者識別情報をその後使用できなくする。
【００５１】
対応付けがなされた暗証番号と来訪者識別情報と有効情報とは、図２に示すように、データベース化されてセンターサーバ１の記憶部１０に記憶される。
【００５２】
また、来訪者が保有する携帯電話６は、センターサーバ１から送信された来訪者識別情報を受信する。なお、携帯電話６の液晶画面に、有効情報が表示されるようにしてもよい。具体的には、来訪者が保有する携帯電話６がセンターサーバ１から有効情報も受信し、例えば、当該来訪者識別情報の残りの使用回数、当該来訪者識別情報が使用できる期間などを来訪者が携帯電話６で確認できると、来訪者にとって利便性が向上する。来訪者識別情報の残りの使用回数については、来訪者識別情報を使用するごとに変わる、すなわち一回少なくなるので、適宜、携帯電話６からセンターサーバ１にアクセスして、来訪者識別情報の残りの使用回数を規定する情報を受信し、液晶画面に表示させて確認すればよい。
【００５３】
そして、ロビー端末７は、集合住宅２の共用玄関のオートロックドア８を隔てた外側に配置されており、来訪者を撮影するためのカメラ、来訪者が所望の住戸の住人を呼び出すために当該住戸の住戸番号を入力するためのテンキーや来訪者が所望の住人と通話するためのマイクおよびスピーカーが設けられている。来訪者識別情報が数字列で構成されている場合には、来訪者識別情報の入力受信部１３として、上記テンキーを使用することができ、来訪者識別情報は、このテンキーにより入力される。また、暗証番号もこのテンキーにより入力される。そして、ロビー端末７は、来訪者により、来訪者識別情報および暗証番号が入力されると、入力された来訪者識別情報および暗証番号をセンターサーバ１に送信する。
【００５４】
ところで、来訪者識別情報を画像、例えば、バーコードやＱＲコード（登録商標）で構成し、当該画像を来訪者が保有する携帯電話６の液晶画面に表示させるようにしてもよい。この場合、ロビー端末７のカメラを来訪者識別情報の入力受信部１３とすることができ、ロビー端末７は、カメラにより携帯電話６の液晶画面に表示された画像を撮影し、来訪者識別情報を画像として読み取る。なお、来訪者識別情報を画像で構成する場合には、デコード機能を有する画像認識部１４により、当該画像が解析される。以下では、画像認識部１４がセンターサーバ１に設けられている例について説明するが、画像認識部１４は、ロビー端末７に設けられていてもよく、その目的を達成することができる限り、集合住宅用ネットワークシステムのどこに設けられていてもよい。
【００５５】
なお、住戸３ａ、３ｂの住人が留守の場合には、ロビー端末７のカメラにより撮影された来客者の映像がセンターサーバ１により住戸３ａ、３ｂの住人の携帯電話などに電子メールにて送信されるようにすることもできる。
【００５６】
以下、図３に示すフローチャートを参照して、実施形態に係る集合住宅用ネットワークシステムの動作を詳述する。
【００５７】
まず、来訪者Ａが来訪する際に、あらかじめ、住戸３ａの住人は、通信機器５ａに、来訪者Ａが保有する携帯電話６のアドレス情報である携帯電話６のメールアドレスや電話番号、来訪者識別情報の利用回数、来訪者識別情報の有効期間を規定する有効情報を入力し、通信機器５ａは、これらの情報を中央監視盤９経由でセンターサーバ１に送信するとともに、住戸識別情報である住戸３ａの住人のＩＤ情報やインターフォン４ａの機器情報もセンターサーバ１に自動的に送信する（Ｓ１０１）。ここで、来訪者識別情報の利用回数は一回とする。
【００５８】
センターサーバ１は、通信機器５ａから携帯電話６のアドレス情報と有効情報と暗証番号作成情報として住戸識別情報とを受信すると、まず、あらかじめ住戸識別情報と対応付けられて登録されている住戸番号を暗証番号とする（Ｓ１０２）。
【００５９】
それとともに、センターサーバ１は、来訪者識別情報を作成する（Ｓ１０３）。ここで、センターサーバ１は、来訪者識別情報を作成する際に、必要に応じ、乱数発生部１１で、乱数を用いて、来訪者識別情報を作成したり、来訪者識別情報を画像データに加工したりする。
【００６０】
そして、センターサーバ１は、この暗証番号と来訪者識別情報と有効情報とを対応付けデータベース化して記憶部１０に記憶する（Ｓ１０４）。
【００６１】
また、センターサーバ１は、携帯電話６のアドレス情報にもとづいて、携帯電話６に来訪者識別情報を電子メールや電話にて送信する（Ｓ１０５）。
【００６２】
次に、来訪者Ａが保有する携帯電話６は、センターサーバ１から来訪者識別情報を受信する。（Ｓ１０６）。ここで、携帯電話６は、有効情報もセンターサーバ１から受信することができ、来訪者Ａは、適宜、携帯電話６の液晶画面にて有効情報を確認することができる。
【００６３】
また、来訪者Ａに、暗証番号が別途伝えられる（Ｓ１０７）。
【００６４】
そして、来訪者Ａは、来訪時に、来訪者識別情報を受信した携帯電話６を所持し、ロビー端末７の入力受信部１３に来訪者識別情報を入力する（Ｓ１０８）。具体的には、来訪者識別情報が数字列で構成されていれば、テンキーにより入力され、画像で構成されていれば、カメラにより撮影される。
【００６５】
また、来訪者Ａは、テンキーにより暗証番号を入力する（Ｓ１０９）。
【００６６】
その後、ロビー端末７は、入力された来訪者識別情報および暗証番号を中央監視盤９経由でセンターサーバ１に送信する（Ｓ１１０）。
【００６７】
センターサーバ１は、ロビー端末７から来訪者識別情報および暗証番号を受信すると、受信した来訪者識別情報および暗証番号と記憶している来訪者識別情報および暗証番号とを比較し、それらが一致しているかどうか、かつ記憶している有効情報を参照し、受信した来訪者識別情報がその利用規定の範囲内であるかどうか、を照合する（Ｓ１１１）。この際、センターサーバ１は、来訪者識別情報が画像で構成されている場合には、画像認識部１４のデコード機能により来訪者識別情報を解析する。なお、画像認識部１４がロビー端末７に設けられている場合は、上記Ｓ１１０において、画像で構成された来訪者識別情報が解析される。
【００６８】
そして、センターサーバ１は、受信した来訪者識別情報および住戸番号と記憶している来訪者識別情報および暗証番号とが一致している場合、かつ記憶している有効情報を参照した結果、受信した来訪者識別情報がその利用規定の範囲内である場合、に、中央監視盤９経由でオートロックドア８のロックを解錠する。（Ｓ１１２）。
【００６９】
そして、センターサーバ１は、その来訪者識別情報をその後使用できなくする（Ｓ１１３）。
【００７０】
一方、ロビー端末７に入力された来訪者識別情報が上記の条件を満たさない場合は、オートロックドア８のロックは解錠されず、処理が終了する（Ｓ１１４）。
【００７１】
最後に、センターサーバ１は、来訪者Ａによりオートロックドア８の開閉が行われ、または、オートロックドア８の開閉が行われなくても所定の期間が経過したことを確認した場合には、オートロックドア８をロックする（Ｓ１１５）。
【００７２】
なお、上記Ｓ１１４で、オートロックドア８のロックが解錠されずに処理が終了する場合には、センターサーバ１は、来訪者Ａにその旨を報知するとよい。具体的には、例えば、ロビー端末７に液晶画面を設けておき、センターサーバ１は、当該液晶画面にその旨を表示させる。
【００７３】
ところで、来訪者がオートロックドア８のロックを解錠したときに、センターサーバ１は、インターフォン４ａ、４ｂにより住戸３ａ、３ｂの住人に来訪通知を行ってもよい。
【００７４】
また、暗証番号を任意に指定する場合には、まず、通信機器５ａ、５ｂは、住戸３ａ、３ｂの住人により入力された暗証番号、携帯電話６のアドレス情報、必要に応じ有効情報をセンターサーバ１に送信するとともに、住戸番号または住戸識別情報も自動的にセンターサーバ１に送信する。
【００７５】
センターサーバ１は、これらの情報を受信すると、来訪者識別情報を作成し、住戸番号または住戸識別情報と暗証番号と来訪者識別情報と必要に応じ有効情報とを対応付けて記憶部１０に記憶するとともに、アドレス情報にもとづいて来訪者識別情報を携帯電話６へ送信する。
【００７６】
その後、ロビー端末７は、来訪者により来訪者識別情報および暗証番号が入力されると、センターサーバ１に来訪者識別情報および暗証番号を送信する。
【００７７】
センターサーバ１は、ロビー端末７から来訪者識別情報および暗証番号を受信すると、受信した来訪者識別情報および暗証番号と記憶している来訪者識別情報および暗証番号とを比較し、それらが一致した場合、かつ有効情報がある場合には、記憶している有効情報を参照した結果、来訪者識別情報がその利用規定の範囲内である場合、に、オートロックドア８のロックを解錠するとともに、記憶している住戸番号または住戸識別情報にもとづいてインターフォン４ａ、４ｂにより住戸３ａ、３ｂの住人に来訪通知を行う。
【００７８】
上述した構成を採用すれば、住戸３ａ、３ｂの住人は、自分がセンターサーバ１に発行を要請した来訪者識別番号が使用されたことがわかるので、注意を向けることができ、集合住宅２のセキュリティレベルが向上する。また、住戸３ａ、３ｂの住人は、来訪者が共用玄関を通過しまもなく住戸３ａ、３ｂに来ることがわかるので、来訪者の来訪に向けて準備をすることができる。
【００７９】
したがって、住人が行わなければならなかった来訪者に対する二回の応答および来訪者が行わなければならなかった住人に対する二回の呼び出しをそれぞれ一回に減らすことができ、住人、来訪者双方の手間を減らしながらも、来訪者に暗証番号を入力させることにより、来訪者識別情報の盗難など住人にとって不測の事態が発生した場合にも、正当な来訪者以外は、暗証番号がわからず、集合住宅２の共用玄関に設けられているオートロックドア８のロックを解錠することができないので、集合住宅２のセキュリティレベルの低下を防止することができる。また、暗証番号は、センターサーバ１で自動的に作成されるので、暗証番号を指定する手間を省くことができる。
【００８０】
なお、住戸番号を暗証番号とすれば、正当な来訪者にとって、暗証番号をわかりやすいものとすることができる。
【００８１】
また、来訪者にオートロックドア８のロックを解錠させる際の制限を設けることができるので、集合住宅２のセキュリティレベルが向上する。
【００８２】
特に、来訪者識別情報を利用することができる有効期間を設定すれば、住人の想定外の期間に来訪者識別情報が利用されなくなるので、集合住宅２のセキュリティレベルが向上する。
【００８３】
そして、来訪者識別情報の利用回数を一回のみにするように設定すれば、来訪者識別情報の使いまわしを避けることができるので、不正に来訪者識別情報が利用される危険性が低減し、集合住宅２のセキュリティレベルが向上する。
【００８４】
なお、センターサーバ１が乱数を用いて来訪者識別情報を作成すれば、来訪者識別情報を推測不可能なものにすることができるので、正当な来訪者になりかわって正当な来訪者以外の人間が集合住宅２に侵入する危険性が低減し、集合住宅２のセキュリティレベルが向上する。
【００８５】
また、来訪者識別情報を画像で構成すれば、来訪者による来訪者識別情報の入力を簡便化することができるので、誤入力を心配することなく来訪者識別情報の情報量を増やすことができ、集合住宅２のセキュリティレベルが向上する。
【図面の簡単な説明】
【００８６】
【図１】実施形態に係る集合住宅用ネットワークシステムを示すブロック図である。
【図２】センターサーバの記憶部に対応付けられデータベース化されて記憶されている暗証番号と来訪者識別情報と有効情報とを示す概念図である。
【図３】実施形態に係る集合住宅用ネットワークシステムの動作を示すフローチャートである。
【符号の説明】
【００８７】
１          センターサーバ
２          集合住宅
３ａ，３ｂ  住戸
４ａ，４ｂ  住戸端末装置としてのインターフォン
５ａ，５ｂ  住戸端末装置としての通信機器
６          携帯端末装置としての来訪者の携帯電話
７          ロビー端末
８          オートロックドア
９          中央監視盤
１０        記憶部
１１        乱数発生部
１２        タイマ部
１３        入力受信部
１４        画像認識部
【図１】
2009052279.tif 000003
【図２】
2009052279.tif 000004
【図３】
2009052279.tif 000005